(57)【要約】      （修正有）【課題】盗難防止装置を取り付ける商品の表面が曲面であっても、タグをしっかりと固定することができる盗難防止装置の固定具を提供する。【解決手段】盗難防止装置の固定具１０は、商品から外れると警告音を発する盗難防止装置のタグ２０を商品に向かってタグの上面から押さえる押圧部１１と、商品と両面テープ１３ａを介して接着する可撓性の素材からなる複数の張出部１３と、押圧部１１と張出部１３とを繋ぐ中間部１２と、を有し、中間部１２の少なくとも一カ所にはタグ２０に繋がるケーブル２２を嵌めるケーブル貫通孔１４を備えており、ケーブル２２はスリット１５を通してケーブル貫通孔１４に嵌められる。【選択図】図２
0003206853.tif 000002
【実用新案登録請求の範囲】
【請求項１】
商品から外れると警告音を発する盗難防止装置のタグを商品に向かって前記タグの上面から押さえる押圧部と、
商品と両面テープを介して接着する可撓性の素材からなる複数の張出部と、
前記押圧部と前記張出部とを繋ぐ中間部と、を有し、
前記中間部の少なくとも一カ所には前記タグに繋がるケーブルを嵌めるケーブル貫通孔を備えていることを特徴とする盗難防止装置の固定具。
【請求項２】
前記中間部には前記ケーブル貫通孔に繋がるスリットが設けられており、前記ケーブルが前記スリットを通して前記ケーブル貫通孔に嵌められることを特徴とする請求項１に記載の盗難防止装置の固定具。
【請求項３】
前記ケーブル貫通孔から見た前記スリットの方向が、前記押圧部から前記張出部に向かう方向に対し直角よりも前記張出部側に傾いた方向であることを特徴とする請求項２に記載の盗難防止装置の固定具。
【請求項４】
前記押圧部の内側と前記タグとは、両面テープで接着されることを特徴とする請求項１から３のいずれかに記載の盗難防止装置の固定具。
【考案の詳細な説明】
【技術分野】
【０００１】
本考案は、盗難防止用のタグを商品にしっかりと固定するのに用いる盗難防止装置の固定具に関する。
【背景技術】
【０００２】
家電量販店等の店頭販売では、商品の見本などを展示している。購入者は、その商品等を手に取ってデザインや操作性などを確認し、購入するかどうかを決定する。しかし、このように展示している商品等は盗難の被害に合いやすいので、商品等に盗難防止装置を取り付けるという対策が採られている（例えば、特許文献１，２）。
【０００３】
一般的な盗難防止装置は、商品に盗難防止用のタグを直接貼付するタイプであり、図４は、そのような盗難防止用タグの斜視図である。タグ２０は、ピン２１を商品等に押し当てて、タグ内にピン２１を押し込んだ状態で商品と両面テープ２３で接着される。そして、タグ２０が商品から取り外されると、ピン２１が突出し、それによって警告音を発するという構成になっている。タグ２０の電源は、内蔵電池によるものもあるし、ケーブル２２から供給されているものもある。
【０００４】
ここで、タグが商品等から外れやすい場合、盗難する意図がなくても不意にタグが外れて警告音が鳴り、営業に支障をきたすことがあるので、タグと商品はしっかりと接着されていなければならない。しかし、商品等の形状は様々であり、例えば商品の表面が曲面の場合、両面テープだけでは十分な接着力が得られず、タグが商品等から外れやすくなるという問題が生じることになりやすい。
【先行技術文献】
【特許文献】
【０００５】
【特許文献１】特開２０００−３０１５６号
【特許文献２】特開平１０−２２２７７２号
【考案の概要】
【考案が解決しようとする課題】
【０００６】
このような実情に鑑み、本考案は、盗難防止装置を取り付ける商品の表面が曲面であっても、タグをしっかりと固定することができる盗難防止装置の固定具を提供することを目的とする。
【課題を解決するための手段】
【０００７】
上記の目的を達成するために、本考案に係る盗難防止装置の固定具は、商品から外れると警告音を発する盗難防止装置のタグを商品に向かってタグの上面から押さえる押圧部と、商品と両面テープを介して接着する可撓性の素材からなる複数の張出部と、前記押圧部と前記張出部とを繋ぐ中間部と、を有し、中間部の少なくとも一カ所にはタグに繋がるケーブルを嵌めるケーブル貫通孔を備えていることを特徴とするものである。
【０００８】
ここで、中間部にはケーブル貫通孔に繋がるスリットが設けられており、ケーブルがそのスリットを通してケーブル貫通孔に嵌められる構成にしたり、さらに、ケーブル貫通孔から見たスリットの方向が、押圧部から張出部に向かう方向に対し直角よりも張出部側に傾いた方向であることにするとよい。
【０００９】
また、押圧部の内側とタグとは、両面テープで接着されることにするとよい。
【考案の効果】
【００１０】
本考案の盗難防止装置の固定具によれば、盗難防止装置を取り付ける商品の表面が曲面であっても、タグをしっかりと固定することができるという効果を奏する。
【００１１】
また、ケーブル貫通孔を備えることで、タグに繋がるケーブルを嵌めて固定することができ、さらに、ケーブル貫通孔に繋がるスリットを設けることで、ケーブルを嵌めやすく、また、スリットの角度を所望の角度にすることで、設置後にケーブルが外れにくいという効果も奏する。
【００１２】
また、押圧部の内側とタグを両面テープで接着すれば、さらにしっかりとタグを固定することができる。
【図面の簡単な説明】
【００１３】
【図１】盗難防止装置の固定具であり、（ａ）は上面図、（ｂ）は断面図、（ｃ）は側面図を示す。
【図２】タグに固定具を取り付ける様子を説明する図であり、（ａ）は取り付け前、（ｂ）はケーブル貫通孔にケーブルを嵌めたとき、（ｃ）は取り付け後を示す。
【図３】盗難防止装置の固定具を用いて、表面が曲面の商品にタグを設置した図である。
【図４】盗難防止用タグの斜視図である。
【考案を実施するための形態】
【００１４】
以下、本考案の実施の形態を添付図面を参照して説明する。
図１は、盗難防止装置の固定具であり、（ａ）は上面図、（ｂ）は断面図、（ｃ）は側面図を示す。盗難防止装置の固定具１０の基本構成は、盗難防止装置のタグを商品に向かってタグの上面から押さえる押圧部１１と、商品と両面テープ１３ａを介して接着する張出部１３と、押圧部１１と張出部１３とを繋ぐ中間部１２とからなる。ここで、中間部１２や張出部１３は、基本的には押圧部１１から相対する２方向に延伸するように設けられているが、２方向に限定するものではなく、２方向よりも多くの複数方向に設けてもよい。なお、固定具１０には、ポリカーボネイト等の素材が用いられ、張出部１３については、表面が曲面の商品に貼付する部分になるので、特に可撓性が必要になる。
【００１５】
押圧部１１の内側にはタグの上面に接着する両面テープ１１ａを備えており、張出部１３の内側には商品の表面に接着する両面テープ１３ａを備えている。そして、張出部１３を横方向に引っ張りながら商品の表面に接着することで、押圧部１１でタグを商品に向かって押圧し、タグをしっかりと固定することができる構造になっている。
【００１６】
ここで、押圧部１１と張出部１３を繋ぐ中間部１２の長さは、タグの高さよりも長くなるとタグを商品に向かって十分に押圧することができなくなるので、タグの高さよりも少し短めにするのがよい。また、張出部１３が短いと、商品の表面との接着面積が小さくなって剥がれやすくなるので、張出部１３の長さは、剥がれにくく、かつ、設置するときに邪魔にならない程度の長さにする必要がある。
【００１７】
図１（ｃ）に示すように、中間部１２の少なくとも一カ所にはタグに繋がるケーブルを嵌めるケーブル貫通孔１４が備えられている。また、ケーブルをケーブル貫通孔１４に嵌めるときは、スリット１５を通すことで、容易にケーブルが嵌められる構成になっている。ここで、ケーブル貫通孔１４から見たスリット１５の方向は、押圧部１１から張出部１３に向かう方向（図１（ｃ）の縦方向）に対する直角方向（図１（ｃ）の横方向）よりも張出部１３の方に角度α傾いた方向としている。具体的には角度αは、１０゜から３０゜くらいの範囲がよく、２０゜を基本とする。角度αが２０゜程度であれば、ケーブル貫通孔１４に嵌められたケーブルを抜こうとするとき、ケーブルを少し商品側に押し付けなければ抜けないので、不意にケーブルが抜けてしまうことを防ぐことができる。
【００１８】
なお、角度αを０゜のように小さくするのは望ましくない。それは、例えば角度αが０゜とすると、ケーブルを押圧部１１から張出部１３に向かう方向に対する直角方向（図１（ｃ）の横方向）に動かすだけで、容易にケーブル貫通孔１４からケーブルが抜けてしまうことになるし、また、張出部１３を引っ張って商品の表面に接着させるときに、スリット１５が開いてしまうからである。
【００１９】
次に、タグに固定具を取り付ける方法を説明する。取り付ける順番としては、ケーブル貫通孔１４にケーブルを嵌めた後でタグを押圧部１１の内側に両面テープ１１ａで接着する場合と、タグを押圧部１１の内側に両面テープ１１ａで接着した後でケーブル貫通孔１４にケーブルを嵌める場合とがある。いずれの順番でも、スリット１５を設けておけば、容易にケーブルをケーブル貫通孔に嵌めることができる。
【００２０】
図２は、タグに固定具を取り付ける様子を説明する図であり、（ａ）は取り付け前、（ｂ）はケーブル貫通孔にケーブルを嵌めたとき、（ｃ）は取り付け後を示す。ここでは、ケーブル貫通孔１４にケーブル２２を嵌めた後でタグ２０を押圧部１１の内側に両面テープ１１ａで接着する場合を示している。
【００２１】
タグ２０は、内蔵電池を電源にしているものもあるが、一般的にはケーブル２２を通じて電源を確保している。このケーブル２２は、タグ２０を設置後、引っ掛かったりするとタグ２０が外れる原因になるので、固定具１０に設けたケーブル貫通孔１４に嵌めて固定するのが望ましい。そこで、タグ２０にケーブル２２が付いているときは、中間部１２に設けたスリット１５を通してケーブル２２をケーブル貫通孔１４に嵌め込むとよい。
【００２２】
また、タグ２０をしっかりと固定するために、押圧部１１の内側に備えられた両面テープ１１ａを用いて、タグ２０と固定具１０を一体化するとよい。両面テープ１１ａはタグ２０の上面、つまり、タグ２０のピン２１が突出していない側の面を押さえるように接着する。
【００２３】
図２（ｃ）のように、タグ２０と固定具１０を一体化したら、張出部１３の内側に備えた両面テープ１３の剥離紙を剥がし、張出部１３を引っ張りながら、商品の表面に貼り付けて、盗難防止装置の設置が完了する。
【００２４】
次に、商品の表面に盗難防止装置を設置した状況を説明する。図３は、盗難防止装置の固定具を用いて、表面が曲面の商品にタグを設置した図である。ここで、商品としては、例えばカメラレンズのような円筒状のものを想定し、その円筒状の側面にタグ２０を設置したものを図示している。ただし、商品の表面２５としては、このような円筒状に限定するものではなく、あらゆる曲面を想定しており、本考案の盗難防止装置の固定具１０は、そのようなあらゆる曲面に貼付できるものである。
【００２５】
円筒状の側面は曲面になっているので、タグ２０のピン２１側に備えている両面テープ２３だけでは、商品にしっかりと固定することは難しい。そこで、固定具１０をタグ２０に取り付け、固定具１０とタグ２０とを一体化し、また、タグ２０を押圧部１１と商品の表面２５とで挟持することで、タグ２０が容易に外れないように設置することを可能としている。
【００２６】
また、ケーブル貫通孔１４に嵌められたケーブル２２は、商品の表面２５に沿うように延びているので、商品の表面２５に別途テープ等で留めてもよく、それによって、ケーブル２２が不意に引っ掛かるようなことを防ぐことができる。
【００２７】
以上、本考案の盗難防止装置の固定具を用いれば、盗難防止装置を取り付ける商品の表面が曲面であっても、タグをしっかりと固定することができ、不意に警報機が鳴ってしまうような事態を回避することができる。
【符号の説明】
【００２８】
１０ 固定具
１１ 押圧部
１１ａ 両面テープ
１２ 中間部
１３ 張出部
１３ａ 両面テープ
１４ ケーブル貫通孔
１５ スリット
２０ タグ
２１ ピン
２２ ケーブル
２３ 両面テープ
２５ 商品の表面
【図１】
0003206853.tif 000003
【図２】
0003206853.tif 000004
【図３】
0003206853.tif 000005
【図４】
0003206853.tif 000006